(57)【要約】【課題】  光ディスクに記録されたテレビ放送番組の再生中に、テレビ放送番組とともに記録されたコマーシャルが再生される前にコマーシャルが再生される旨を報知し、ユーザが必要としないコマーシャル部分をスキップして、テレビ放送番組を視聴することができるようにする。【解決手段】  放送番組の映像音声信号を光ディスクに記録し、コマーシャルの開始時刻と再生時間とのコマーシャル情報を光ディスクにサブタイトル情報として記録し、光ディスクに記録されたサブタイトル情報を読み出して、光ディスクに記録された放送番組の映像音声信号を再生し、光ディスクに記録された放送番組の再生中に、コマーシャルの再生開始の所定時間前になったとき、コマーシャルの再生時間を表示し、コマーシャルの再生のスキップが指令された場合、コマーシャルの再生を所定時間スキップするようにする。【選択図】        図２
2006303847.tif 000002
【特許請求の範囲】
【請求項１】
ＤＶＤ等の光ディスクに映像音声信号を記録再生するディスク装置であって、
放送番組の映像音声信号を光ディスクに記録する第１の記録手段と、放送番組のコマーシャルの開始時刻、終了時刻からコマーシャルの再生時間を算出して、コマーシャルの開始時刻と再生時間とのコマーシャル情報を光ディスクにサブタイトル情報として記録する第２の記録手段と、前記第２の記録手段により光ディスクに記録されたサブタイトル情報を読み出す読出手段と、前記第１の記録手段により光ディスクに記録された放送番組の映像音声信号を再生する再生手段と、光ディスクに記録された放送番組の再生中に、前記読出手段により読み出されたサブタイトル情報に基づいてコマーシャルの再生開始の所定時間前になったか否かを判別し、コマーシャルの再生開始の所定時間前になったとき、コマーシャルの再生時間を表示する表示手段と、コマーシャルの再生開始時刻になったときに、コマーシャルの再生のスキップが指令された場合、コマーシャルを所定時間早送り再生してコマーシャルの再生をスキップするスキップ手段とを備えたことを特徴とするディスク装置。
【請求項２】
ＤＶＤ等の光ディスクに映像音声信号を記録再生するディスク装置であって、
放送番組の映像音声信号を光ディスクに記録する第１の記録手段と、放送番組のコマーシャルの開始時刻、終了時刻からコマーシャルの再生時間を算出して、コマーシャルの開始時刻と再生時間とのコマーシャル情報を光ディスクにサブタイトル情報として記録する第２の記録手段と、前記第２の記録手段により光ディスクに記録されたサブタイトル情報を読み出す読出手段と、前記第１の記録手段により光ディスクに記録された放送番組の映像音声信号を再生する再生手段と、光ディスクに記録された放送番組の再生中に、前記読出手段により読み出されたサブタイトル情報に基づいてコマーシャルの再生開始の所定時間前になったか否かを判別し、コマーシャルの再生開始の所定時間前になったとき、コマーシャルの再生時間を表示する表示手段と、コマーシャルの再生開始時刻になったときに、コマーシャルの再生のスキップが指令された場合、コマーシャルの再生を所定時間スキップするスキップ手段とを備えたことを特徴とするディスク装置。
【請求項３】
前記スキップ手段は、コマーシャルを所定時間早送り再生してコマーシャルの再生をスキップするスキップ手段であることを特徴とする請求項２記載のディスク装置。
【請求項４】
ＤＶＤ等の光ディスクに映像音声信号を記録再生するディスク装置の再生方法であって、
放送番組を光ディスクに記録するステップと、コマーシャルの放送になったか否かを判断するステップと、コマーシャルの放送になったとき、コマーシャル情報をサブタイトル情報として光ディスクに記録するステップと、光ディスクに記録された放送番組を再生するステップと、サブタイトル情報に基づいてコマーシャルの再生開始の所定時間前になったか否かを判別するステップと、コマーシャルの再生開始の所定時間前になったとき、コマーシャルの再生時間を表示するステップと、コマーシャルの再生開始時刻になったときに、コマーシャルの再生のスキップが指令された場合、コマーシャルを所定時間早送り再生してコマーシャルの再生をスキップするステップとを備えたことを特徴とするディスク装置の再生方法。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに映像音声信号を記録再生するディスク装置及びその再生方法に係り、特に光ディスクに記録されたテレビ放送番組の再生中に、ユーザが所望しないコマーシャル部分を早送り再生してコマーシャルをスキップすることができるディスク装置及びその再生方法に関する。
【背景技術】
【０００２】
従来、光ディスクを再生するディスク再生装置には、光ディスクに記録されたテレビ放送番組を再生する際に、コマーシャル部分を一定時間、例えば、３０秒間や６０秒間早送り再生する機能が付加されている。しかし、コマーシャルが始まるタイミングやその再生時間の長さがわからないため、コマーシャル部分を一定時間早送り再生すると、コマーシャルに続くテレビ放送番組の映像音声信号の一部が再生されないという問題点があった。
背景技術としては、放送番組の先頭に放送番組を識別する情報を多重化して配置し、放送番組の本編を識別する情報を多重化して配置し、本編の終了時刻より所定時間前にコマーシャルの開始を予告する情報を多重化して配置し、放送番組の最後に所定時間後に放送番組が終了することを示す情報を多重化して配置し、コマーシャル部分のスキップを一定条件の下に禁止するようにしたものがあった（例えば、特許文献１参照）。
また、コマーシャルを識別する識別信号が挿入された放送番組を受信した際に、映像信号に挿入されたコマーシャルの識別信号を検出して、その検出期間中コマーシャルの映像出力を禁止して、放送番組の映像のみを録画するようにしたものがあった（例えば、特許文献２参照）。
また、放送番組本編の再生時間帯の開始時点より所定時間前から再生時間帯の終了時点まで繰り返し多重化されて放送されるコマーシャルを受信し、受信されたコマーシャルをキャッシュして、放送番組の再生中に、キャッシュされた付加データのコマーシャルを再生利用するようにしたものがあった（例えば、特許文献３参照）。
【特許文献１】特開２００２−３６９１６２号公報
【特許文献２】特開昭６３−２０３０７２号公報
【特許文献３】特開２００２−８４５１１号公報
【発明の開示】
【発明が解決しようとする課題】
【０００３】
しかしながら、背景技術で述べたもののうち最初のものにおいては、放送番組の先頭に放送番組を識別する情報を多重化して配置し、放送番組の本編を識別する情報を多重化して配置し、本編の終了時刻より所定時間前にコマーシャルの開始を予告する情報を多重化して配置し、放送番組の最後に所定時間後に放送番組が終了することを示す情報を多重化して配置し、コマーシャル部分のスキップを一定条件の下に禁止することができたが、放送番組のコマーシャルの記録再生を一定条件の下に禁止するようにしたものであって、上記問題点を解決するようにしたものではなかった。
また、次のものにおいては、コマーシャルを識別する識別信号が挿入された放送番組を受信した際に、映像信号に挿入されたコマーシャルの識別信号を検出して、その検出期間中コマーシャルの映像出力を禁止して、放送番組の映像のみを録画することができたが、放送番組のコマーシャルを録画せずに、放送番組の本編映像のみを録画するようにしたものであって、上記問題点を解決するようにしたものではなかった。
また、更にその次のものにおいては、放送番組本編の再生時間帯の開始時点より所定時間前から再生時間帯の終了時点まで繰り返し多重化されて放送されるコマーシャルを受信し、受信されたコマーシャルをキャッシュして、放送番組の再生中に、キャッシュされた付加データのコマーシャルを再生利用することができたが、放送番組の再生中に、放送番組本編に付加されたコマーシャルを再生して利用するようにしたものであって、上記問題点を解決するようにしたものではなかった。
本発明は、背景技術の有するこのような問題点に鑑みてなされたものであり、その目的とするところは、光ディスクに記録されたテレビ放送番組の再生中に、所定時間後に所定時間コマーシャルが再生される旨を事前に報知し、ユーザが所望しないコマーシャルをスキップして、テレビ放送番組を視聴することができるディスク装置を提供しようとするものである。
【課題を解決するための手段】
【０００４】
上記目的を達成するため本発明においては、ＤＶＤ等の光ディスクに映像音声信号を記録再生するディスク装置であって、放送番組の映像音声信号を光ディスクに記録する第１の記録手段と、放送番組のコマーシャルの開始時刻、終了時刻からコマーシャルの再生時間を算出して、コマーシャルの開始時刻と再生時間とのコマーシャル情報を光ディスクにサブタイトル情報として記録する第２の記録手段と、前記第２の記録手段により光ディスクに記録されたサブタイトル情報を読み出す読出手段と、前記第１の記録手段により光ディスクに記録された放送番組の映像音声信号を再生する再生手段と、光ディスクに記録された放送番組の再生中に、前記読出手段により読み出されたサブタイトル情報に基づいてコマーシャルの再生開始の所定時間前になったか否かを判別し、コマーシャルの再生開始の所定時間前になったとき、コマーシャルの再生時間を表示する表示手段と、コマーシャルの再生開始時刻になったときに、コマーシャルの再生のスキップが指令された場合、コマーシャルの再生を所定時間スキップするスキップ手段とを備える。
前記スキップ手段は、コマーシャルを所定時間早送り再生してコマーシャルの再生をスキップするようにするとよい。
これらの手段により、光ディスクに記録されたテレビ放送番組の再生中に、所定時間後に所定時間コマーシャルが再生される旨を事前に報知し、ユーザが所望しないコマーシャルをスキップして、テレビ放送番組を視聴することができる。
【発明の効果】
【０００５】
請求項１記載の発明に係るディスク装置によれば、放送番組の映像音声信号を光ディスクに記録し、放送番組のコマーシャルの開始時刻、終了時刻からコマーシャルの再生時間を算出して、コマーシャルの開始時刻と再生時間とのコマーシャル情報を光ディスクにサブタイトル情報として記録し、光ディスクに記録されたサブタイトル情報を読み出して、光ディスクに記録された放送番組の映像音声信号を再生し、光ディスクに記録された放送番組の再生中に、読み出されたサブタイトル情報に基づいてコマーシャルの再生開始の所定時間前になったか否かを判別し、コマーシャルの再生開始の所定時間前になったとき、コマーシャルの再生時間を表示し、コマーシャルの再生開始時刻になったときに、コマーシャルの再生のスキップが指令された場合、コマーシャルを所定時間早送り再生してコマーシャルの再生をスキップするようにしているので、光ディスクに記録されたテレビ放送番組の再生中に、所定時間後に所定時間コマーシャルが再生される旨を事前に報知し、ユーザが所望しないコマーシャルをスキップして、テレビ放送番組を視聴することができる。
請求項２記載の発明に係るディスク装置によれば、放送番組の映像音声信号を光ディスクに記録し、放送番組のコマーシャルの開始時刻、終了時刻からコマーシャルの再生時間を算出して、コマーシャルの開始時刻と再生時間とのコマーシャル情報を光ディスクにサブタイトル情報として記録し、光ディスクに記録されたサブタイトル情報を読み出して、光ディスクに記録された放送番組の映像音声信号を再生し、光ディスクに記録された放送番組の再生中に、読み出されたサブタイトル情報に基づいてコマーシャルの再生開始の所定時間前になったか否かを判別し、コマーシャルの再生開始の所定時間前になったとき、コマーシャルの再生時間を表示し、コマーシャルの再生開始時刻になったときに、コマーシャルの再生のスキップが指令された場合、コマーシャルの再生を所定時間スキップするようにしているので、光ディスクに記録されたテレビ放送番組の再生中に、所定時間後に所定時間コマーシャルが再生される旨を事前に報知し、ユーザが所望しないコマーシャルをスキップして、テレビ放送番組を視聴することができる。
請求項３記載の発明に係るディスク装置によれば、コマーシャルを所定時間早送り再生してコマーシャルの再生をスキップするようにしているので、スキップにより早送り再生されているコマーシャルの映像を知ることができる。
請求項４記載の発明に係るディスク装置によれば、放送番組を光ディスクに記録し、コマーシャルの放送になったか否かを判断して、コマーシャルの放送になったとき、コマーシャル情報をサブタイトル情報として光ディスクに記録し、光ディスクに記録された放送番組を再生して、サブタイトル情報に基づいてコマーシャルの再生開始の所定時間前になったか否かを判別し、コマーシャルの再生開始の所定時間前になったとき、コマーシャルの再生時間を表示して、コマーシャルの再生開始時刻になったときに、コマーシャルの再生のスキップが指令された場合、コマーシャルを所定時間早送り再生してコマーシャルの再生をスキップするようにしているので、光ディスクに記録されたテレビ放送番組の再生中に、所定時間後に所定時間コマーシャルが再生される旨を事前に報知し、ユーザが所望しないコマーシャルをスキップして、テレビ放送番組を視聴することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示す説明図であり、図３は本発明の一実施例のディスク装置の記録動作を示すフローチャートであり、図４は本発明の一実施例のディスク装置の再生動作を示すフローチャートである。
まず、図１の本発明の一実施例のディスク装置の構成を示すブロック図を基に説明する。
ディスク装置１は、光ディスク２の記録面にレーザ光を照射して映像音声信号を光ディスク２に記録するとともに、光ディスク２の記録面にレーザ光を照射し、その反射光を検出して光ディスク２に記録された映像音声信号を読み出す光ピックアップ３と、光ピックアップ３を光ディスク２の半径方向に移動させるスレッドモータ４と、光ディスク２を回転させるスピンドルモータ５と、スレッドモータ４の回転方向と回転速度とをスピンドルモータ５の回転速度をサーボ制御し、光ピックアップ３により検出されたトラッキング誤差信号に基づいて光ピックアップ３のトラッキングをサーボ制御し、光ピックアップ３により検出されたフォーカス誤差信号に基づいて光ピックアップ３のフォーカスをサーボ制御するサーボ回路６と、光ピックアップ３により読み出された映像音声信号のＲＦ（Ｒａｄｉｏ  Ｆｒｅｑｕｅｎｃｙ）信号を増幅するとともに、光ディスク２に記録する映像音声信号のＲＦ信号を増幅するＲＦ増幅回路７と、アンテナ１３により受信されたテレビ放送電波から選択されたチャンネルのテレビ放送番組を受信するチューナ８と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、復号して映像音声信号再生するとともに、チューナ８により受信されたテレビ放送番組の映像音声信号を符号化して、符号化された映像音声信号を所定の圧縮方式に基づいて圧縮する信号処理回路９と、文字情報信号を映像信号に重畳して、モニタ装置３０の画面に文字情報を表示するＯＳＤ（Ｏｎ−Ｓｃｒｅｅｎ  Ｃｈａｒａｃｔｅｒ  Ｄｉｓｐｌａｙ）回路１０と、ディスク装置１のシステム全体を制御するマイコン１１と、リモコン装置２０から送信された赤外線信号のリモコン信号を受信して、所定の電気信号に変換するリモコン受信部１２とで構成されている。
以上のように構成されたディスク装置について、以下その動作について説明する。
リモコン装置２０のキー操作により放送番組の記録が指令されると、マイコン１１は、サーボ回路６に制御信号を送出して、スピンドルモータ５を回転させて光ディスク２を回転させ、スレッドモータ４を回転させて光ピックアップ３を光ディスク２の半径方向にスレッド移動させ、チューナ８により受信された放送番組の映像音声信号を信号処理回路９により所定の方式により圧縮して符号化し、ＲＦ増幅回路７により増幅して光ピックアップ３により光ディスク２に記録する。
チューナ８により受信された放送番組がコマーシャルの放送になった場合、マイコン１１は、受信したコマーシャルの開始時刻、終了時刻からコマーシャルの再生時間を算出して、コマーシャルの開始時刻と再生時間とのコマーシャル情報を光ディスク２にサブタイトル情報として記録する。そして、放送番組の記録が終了すると、マイコン１１は、放送番組の光ディスク２への記録を終了する。
リモコン装置２０のキー操作により光ディスク２に記録された放送番組の再生が指令されると、マイコン１１は、サーボ回路６にに制御信号を送出して、スピンドルモータ５を回転させて光ディスク２を回転させ、スレッドモータ４を回転させて光ピックアップ３を光ディスク２の半径方向にスレッド移動させ、光ピックアップ３により光ディスク２に記録されたサブタイトル情報と放送番組の映像音声信号とを読み出して、ＲＦ増幅回路７により増幅し、信号処理回路９により所定の方式により圧縮された映像音声信号を復号化して、光ディスク２に記録された放送番組を再生する（図２（ａ）参照。図中では、コマーシャルをＣＭと略している）。
光ディスク２に記録された放送番組の再生中に、光ディスク２から読み出されたサブタイトル情報のコマーシャル情報のコマーシャルの再生開始の所定時間前、例えば、５秒前になったとき、マイコン１１は、文字情報信号と制御信号とをＯＳＤ回路１０に送出して、コマーシャルの再生時間、例えば、３０秒をモニタ装置３０の画面３０ａに表示する（図２（ｂ）参照）。そして、コマーシャルの再生開始時刻になったときに、リモコン装置２０のキー操作によりコマーシャルの再生のスキップが指令された場合、マイコン１１は、サーボ回路６に制御信号を送出して、光ディスク２に記録されたコマーシャルを所定時間、例えば、３０秒間早送り再生し、コマーシャルの再生をスキップする（図２（ｃ）参照）。そして、コマーシャルを所定時間の早送り再生すると、マイコン１１は、サーボ回路６に制御信号を送出して、通常再生に戻して放送番組を再生する（図２（ｄ）参照）。なお、コマーシャルの再生のスキップが指令されない場合は、コマーシャルが通常再生される。
また、図３の本発明の一実施例のディスク装置の記録動作を示すフローチャートを基に説明する。
リモコン装置のキー操作により放送番組の記録が指令されると、ステップＳ１からステップＳ２に進み、ステップＳ２で受信された放送番組が光ディスクに記録されて、ステップＳ３に進む。
ステップＳ３で、コマーシャルの放送になったか否かが判断され、コマーシャルの放送になった場合、ステップＳ４に進み、コマーシャルの放送になっていない場合、ステップＳ５に進む。
ステップＳ４で、コマーシャルの開始時刻と再生時間とのコマーシャル情報がサブタイトル情報として光ディスクに記録されて、ステップＳ５に進む。
ステップＳ５で、放送番組の記録が終了したか否かが判断され、放送番組の記録が終了した場合、ステップＳ６に進んで処理を終了し、放送番組の記録が終了していない場合、ステップＳ３に戻って、ステップＳ３からのステップを繰り返す。
また、図４の本発明の一実施例のディスク装置の再生動作を示すフローチャートを基に説明する。
リモコン装置のキー操作により、光ディスクに記録された放送番組の再生が指令されると、ステップＳ１１からステップＳ１２に進み、ステップＳ１２で、光ディスクに記録された放送番組が再生され、ステップＳ１３に進む。
ステップＳ１３で、光ディスクに記録されたサブタイトル情報のコマーシャルの再生開始の所定時間前になったか否かが判断され、コマーシャルの再生開始の所定時間前になった場合、ステップＳ１４に進み、コマーシャルの再生開始の所定時間前になっていない場合、ステップＳ１８に進む。
ステップＳ１４で、コマーシャルの再生時間がモニタ装置の画面に表示され、ステップＳ１５に進む。
ステップＳ１５で、コマーシャルの再生開始時刻になったか否かが判断され、コマーシャルの再生開始時刻になった場合、ステップＳ１６に進み、コマーシャルの再生開始時刻になっていない場合、ステップＳ１８に進む。
ステップＳ１６で、リモコン装置のキー操作によりコマーシャルの再生のスキップが指令されたか否かが判断され、コマーシャルの再生のスキップが指令された場合、ステップＳ１７に進み、コマーシャルの再生のスキップが指令されていない場合、ステップＳ１８に進む。
ステップＳ１７で、コマーシャル部分の映像が所定時間早送り再生されて、ステップＳ１８に進む。
ステップＳ１８で、光ディスクに記録された放送番組の再生が終了したか否かが判断され、光ディスクに記録された放送番組の再生が終了した場合、ステップＳ１９に進んで処理を終了し、光ディスクに記録された放送番組の再生が終了していない場合、ステップＳ１３に戻って、ステップＳ１３からのステップを繰り返す。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示す説明図である。
【図３】本発明の一実施例のディスク装置の記録動作を示すフローチャートである。
【図４】本発明の一実施例のディスク装置の再生動作を示すフローチャートである。
【符号の説明】
【０００８】
１  ディスク装置
２  光ディスク
３  光ピックアップ
４  スレッドモータ
５  スピンドルモータ
６  サーボ回路
７  ＲＦ増幅回路
８  チューナ
９  信号処理回路
１０  ＯＳＤ回路
１１  マイコン
１２  リモコン受信部
１３  アンテナ
２０  リモコン装置
３０  モニタ装置
３０ａ  画面
【図１】
2006303847.tif 000003
【図２】
2006303847.tif 000004
【図３】
2006303847.tif 000005
【図４】
2006303847.tif 000006